(57)【要約】      （修正有）【課題】雪路面上移動に適したショッピングカートを提供する。【解決手段】下方に凸の湾曲面を有する上部開放中空の雪路面接触体１を設け、筒状の収納用布体２を設けるとともに、接触体上部に布体の下部を貼着し、布体上端近傍に引き紐４を取り付けたことを特徴とする。【選択図】図８
0003201805.tif 000002
【実用新案登録請求の範囲】
【請求項１】
下方に凸の湾曲面を有する上部開放中空の雪路面接触体を設け、筒状の収納用布体を設けるとともに、該接触体上部に該布体の下部を貼着し、該布体上端近傍に引き紐を取り付けたことを特徴とする雪路面用ショッピングカート。
【請求項２】
収納用布体の上端近傍に複数個の孔を設け、この孔内に引き紐を設けてなる請求項１記載の雪路面用ショッピングカート。
【請求項３】
収納用布体の上端適所に持ち手を設けてなる請求項２記載の雪路用ショッピングカート。
【考案の詳細な説明】
【技術分野】
【０００１】  この考案は、雪路面上を移動するに便利なる、雪路面用のショッピングカートに関する。
【背景技術】
【０００２】  従来より、ショッピングカートが多用されているが、本案にて示すように、雪路面専用のショッピングカートは見当たらない。
【考案の概要】
【考案が解決しようとする課題】
【０００３】  以前より、買い物物品を収納運搬するための用具として、ショッピングカート（以下、カートと略称する）が多用されてきた。買い物に用いる身近な物品としては、古くには買い物かごがあり、しばらく前からはトートバッグが利用されている。しかし、これらの用具は手に提げて用いるものであって、重量物の運搬には適さないため、より運搬に便利なものとして、上述のカートが利用されている。
このカートは、一般的には持ち手のついたフレームに袋体を取り付け、このフレーム下端に車輪を設けたもので、使用時は袋体内に購入物品を収納し、持ち手を持って路上を移動させる。カートの下部には車輪があるので、この車輪が路面に接して転がるためにその重量を人体が支える必要がなく、楽に運搬ができる。
以上は、非雪路面の場合であり、積雪路面ではその様子が異なってくる。
降雪地域では冬期に積雪がある。路面に堆積した雪は、人家の周りはその住人等が排雪をするが、路面は公共エリアのために、市などの管轄となって、市の除雪作業機関にて排雪がなされるが、積雪と排雪までの間には時間を要して、歩行等がスムースでない事態が生ずる場合がある。
カートは既述のように、車輪が路面に接しつつ移動するものであるが、雪路面ではこの車輪が雪に埋もれてその移動が妨げられる場合がある。浅い雪路面や踏み固められた雪路面ではその移動の困難性は若干緩和されるが、降り積もったばかりの新雪では車輪による移動は困難となるが、これに対する適切な手段は現在のところ見当たらないのが現状である。
本案は以上に鑑み、車輪を用いない新たなるカートを構成し、雪路面上を滑り移動させることにて、既述の問題を解消しうる新規かつ有用なる手段を提供することを目的として発案されたものである。
【課題を解決するための手段】
【０００４】  課題を解決する手段として本案は以下の構成とした。
すなわち、下方に凸の湾曲面を有する上部開放中空の雪路面接触体を設け、筒状の収納用布体を設けるとともに、該接触体上部に該布体の下部を貼着し、該布体上端近傍に引き紐を取り付ける。本案は以上の構成よりなる雪路面用ショッピングカートである。
【考案の効果】
【０００５】  本案によれば、曲面底部を有する雪路面接触体を下部に用いた構成としているために、この底部が雪路面に接して、引き紐を手で引いて歩行することにて、この底部が雪路面上を滑りながら移動することとなって、従来の車輪型カートの有する移動困難性を解消した有用なるカートを得ることができる。また、既述のごとく、ハトメ内に引き紐を挿通した構成とすることにて、移動時は収納用布体の上部がすぼまって内容物の散逸を防止することができる。
【図面の簡単な説明】
【０００６】
【図１】  本考案の雪路面接触体の拡大平面図
【図２】  本考案の雪路面接触体の拡大正面図
【図３】  本考案の雪路面接触体の拡大右側面図
【図４】  本考案の正面図
【図５】  本考案の背面図
【図６】  本考案の物品収納状態正面図（引き紐引張時）
【図７】  本考案の物品収納状態右側面図（引き紐引張時）
【図８】  本考案の使用説明図
【考案を実施するための最良の形態】
【０００７】  以下、本考案の実施形態について説明する。
図において、１はポリエチレン製の雪路面接触体で、図にて示すように中空略半楕円体形状の上部開放物品である。２は収納用布体で、撥水性とある程度の引張強度を有する筒状布体であって、その下端は上記の雪路面接触体上部外面に貼着される。該布体の上端近傍には複数個の孔が一列に穿設され、この孔にハトメ３が取り付けられる。このハトメは図４にて示されるように、収納用布体上縁に沿って該布体をほぼ等間隔にて一周して設けられる。４は引き紐で、ハトメ内径よりやや小さい外径を有する繊維性可撓性の紐であって、ハトメを交互に出入りして設けられる。この引き紐の収納用布体裏方ではハトメ内方から立ち上がって上方へ伸延している。５は布製の持ち手で、収納用布体上縁に一対が対向して貼着もしくは縫着にて上方へ向けて突設される。【０００８】  本案の使用に際しては、まず購入物品を収納用布体内に収納して引き紐を引く。すると図６のように収納用布体の上部がすぼまり、内容物の散逸は防止される。
このまま引き紐を手に持ち、歩行を開始すると、図８のように側面視にて全体は傾く。
このまま歩行にて雪路面接触体の底の一部が雪路面に接触しつつ移動して、運搬することができる。この雪路面接触体はポリエチレン製であるために、雪路面に対して滑らかに移動し、また湾曲面であるために雪路面の凹凸に対してもそれが障害となることなく運搬することができる。
新雪など比較的柔らかい雪路面の場合は、この雪路面接触体は雪表面に少しのくぼみを作りながら移動するので、左右に振られることなく安定移動することができる。
なお、引き上げるときは持ち手をつかんで引っ張り上げることができる。【０００９】  以上、本案について記したが、本案は雪路面上を滑り移動させて物品を運搬するところにその特徴を有している。従来手段は既述のように、車輪による移動のために、雪路面に車輪が沈み込んで移動が困難となりがちであったが、本案にてこれが解消するものとなったのである。
本案例においては、雪路面接触体下部が湾曲面であるために、雪路面に対しては部分接触となり、比較的低摩擦による移動であるために、移動時の抵抗は少なく、また雪路面の凹凸にも十分対応することができる。既例ではハトメを用いて、このハトメ内に引き紐を挿通する構成としたために、収納用布体の引張による破れを防止し、かつ、引き紐引張にてこの収納用布体の上部がすぼまって、収納物の外部散逸を防止し、また、雨水や降雪の収納用布体内への侵入は阻止される。
なお、既述の例においては、雪路面接触体を中空半楕円体形状としているが、この楕円体中央下面に平坦部を設けることにて、このショッピングカートを立てた状態に保持することができて便利である。以上のごとく、本案によって雪路面に適したショッピングカートを得ることができる。
【符号の説明】
【００１０】  １  雪路面接触体
２  収納用布体
３  ハトメ
４  引き紐
５  持ち手
【図１】
0003201805.tif 000003
【図２】
0003201805.tif 000004
【図３】
0003201805.tif 000005
【図４】
0003201805.tif 000006
【図５】
0003201805.tif 000007
【図６】
0003201805.tif 000008
【図７】
0003201805.tif 000009
【図８】
0003201805.tif 000010